(57)【特許請求の範囲】
【請求項１】
不特定のＳＭＳ送信端末から顧客が指定した電話番号でＳＭＳを受信して、前記顧客が指定した受信端末装置のＵＲＬに前記受信したＳＭＳの情報を送信するサーバー装置であって、
前記ＳＭＳを受信できる電話番号を特定する複数のＳＩＭカードが配置され、各ＳＩＭカードが特定する前記電話番号に着信して受信したＳＭＳの情報を出力するモデム部と、
前記モデム部に配置されたＳＩＭカードの前記電話番号と前記電話番号に対応した前記顧客の前記受信端末装置のＵＲＬを格納したデータベースと、
前記顧客の送信端末装置に対して、前記モデム部に配置されたＳＩＭカードから選択可能なＳＩＭカードの電話番号を提示し、これらの電話番号から前記顧客が指定した電話番号及び送信すべき前記受信端末装置の前記ＵＲＬを前記データベースに格納するＡＰＩ処理部と、
前記モデム部がＳＭＳを受信した前記電話番号に基づいて前記データベースから前記受信端末装置のＵＲＬを取得して、前記モデム部に着信したＳＭＳの情報を前記取得した受信端末装置のＵＲＬに送信するＳＭＳ情報送信部と、
を備えることを特徴とするサーバー装置。
【請求項２】
前記ＳＭＳ情報送信部は、受信したＳＭＳの情報として、発信元電話番号、受信電話番号、本文テキストデータ、及び受信時刻を送信することを特徴とする請求項１に記載のサーバー装置。
【請求項３】
前記ＡＰＩ処理部は、前記顧客の送信端末装置からのＨＴＴＰ（Hyper  Text  Transfer  Protocol）によるＰＯＳＴメソッドによる指定で前記電話番号及び前記ＵＲＬを指定されることを特徴とする請求項１に記載のサーバー装置。
【請求項４】
サーバー装置と、顧客の送信端末装置及び受信端末装置と、を備え、不特定のＳＭＳ送信端末から前記顧客が送信端末で指定した電話番号で受信したＳＭＳの情報を前記顧客の前記受信端末装置のＵＲＬを送信するＳＭＳ受信システムであって、
サーバー装置は、
前記ＳＭＳを受信できる電話番号を特定する複数のＳＩＭカードが配置され、各ＳＩＭカードが特定する前記電話番号に着信して受信したＳＭＳの情報を出力するモデム部と、
前記モデム部に配置されたＳＩＭカードの前記電話番号及び前記電話番号に対応した前記顧客の前記受信端末装置のＵＲＬを格納したデータベースと、
前記顧客の送信端末に対して、前記モデム部に配置されたＳＩＭカードから選択可能なＳＩＭカードの電話番号を提示し、これらの電話番号から前記顧客が指定した電話番号及び送信すべき前記受信端末装置の前記ＵＲＬを前記データベースに格納するＡＰＩ処理部と、
前記モデム部がＳＭＳを受信した前記電話番号に基づいて前記データベースから前記受信端末装置のＵＲＬを取得して、前記モデム部に着信したＳＭＳの情報を前記取得した受信端末装置のＵＲＬに送信するＳＭＳ情報送信部と、
を備え、
前記送信端末装置は、前記ＡＰＩ処理部に対してＨＴＴＰ（Hyper  Text  Transfer  Protocol）によるＰＯＳＴメソッドにより前記電話番号と前記ＵＲＬを指定する、
ことを特徴とするＳＭＳ受信システム。
【請求項５】
前記送信端末装置と前記受信端末装置とは１台の顧客端末装置で実現されることを特徴とする請求項４に記載のＳＭＳ受信システム。
【請求項６】
前記ＳＭＳ情報送信部は、受信したＳＭＳの情報として、発信元電話番号、受信電話番号、本文テキストデータ、及び着信時刻を送信することを特徴とする請求項４に記載のＳＭＳ受信システム。
【請求項７】
前記サーバー装置は、パーソナルコンピュータであることを特徴とする請求項４に記載のＳＭＳ受信システム。
【請求項８】
前記顧客の送信端末装置及び前記顧客の受信端末装置は、パーソナルコンピュータ、タブレット型コンピュータ、又はスマートフォンであることを特徴とする請求項４に記載のＳＭＳ受信システム。
【請求項９】
ＳＭＳを受信できる複数のＳＩＭカードを配置したモデム部と、顧客が所望の電話番号と送信先である受信装置のＵＲＬを指定するＡＰＩ処理部と、ＳＩＭカードに受信した不特定のＳＭＳ送信端末からのＳＭＳについての情報を格納したデータベースと、前記顧客が指定した受信端末装置のＵＲＬに送信するＳＭＳ情報送信部と、を備えるサーバー装置の制御方法であって、
前記ＡＰＩ処理部が前記顧客に前記モデム部に配置されたＳＩＭカードから選択可能なＳＩＭカードの電話番号を提示し、前記電話番号からが前記顧客が所望の電話番号及び送信すべき受信端末装置の前記ＵＲＬの指定を、ＨＴＴＰによるＰＯＳＴメソッドにより行うステップと、
前記複数のＳＩＭカードの前記電話番号及び前記電話番号に対応した前記顧客の前記端末装置のＵＲＬをデータベースに格納するステップと、
各ＳＩＭカードが特定する前記電話番号に着信して受信したＳＭＳの情報を出力するステップと、
ＳＭＳ情報送信部が前記モデム部に着信したＳＭＳの情報を、前記ＳＭＳを受信した前記電話番号に基づいてデータベースを参照して取得した前記端末装置のＵＲＬに送信するステップと、
を備えることを特徴とするサーバー装置の制御方法。
【請求項１０】
ＳＭＳを受信できる複数のＳＩＭカードを配置したモデム部と、顧客が所望の電話番号と送信先である受信装置のＵＲＬを指定するＡＰＩ処理部と、ＳＩＭカードに受信した不特定のＳＭＳ送信端末からのＳＭＳについての情報を格納したデータベースと、前記顧客が指定した受信端末装置のＵＲＬに送信するＳＭＳ情報送信部と、を備えるサーバー装置のコンピュータに、
前記ＡＰＩ処理部が前記顧客に前記モデム部に配置されたＳＩＭカードから選択可能なＳＩＭカードの電話番号を提示し、前記電話番号からが前記顧客が所望の電話番号及び送信すべき受信端末装置の前記ＵＲＬの指定を、ＨＴＴＰによるＰＯＳＴメソッドにより行うステップと、
前記複数のＳＩＭカードの前記電話番号及び前記電話番号に対応した前記顧客の前記端末装置のＵＲＬをデータベースに格納するステップと、
各ＳＩＭカードが特定する前記電話番号に着信して受信したＳＭＳの情報を出力するステップと、
ＳＭＳ情報送信部が前記モデム部に着信したＳＭＳの情報を、前記ＳＭＳを受信した前記電話番号に基づいてデータベースを参照して取得した前記端末装置のＵＲＬに送信するステップと、
を実行させることを特徴とするプログラム。
【発明の詳細な説明】
【技術分野】
【０００１】
本発明は、受信したＳＭＳ（Short Message Service）の内容を顧客の受信装置に送信するサービスを行うサーバー装置、ＳＭＳ受信システム、サーバー装置の制御方法、及びプログラムに関する。
【背景技術】
【０００２】
従来、着信したＳＭＳを指定した受信装置に転送する技術が提案されている。
【０００３】
特許文献１には、通信事業者の運用する複数の網の間に介在するプロバイダの通信中継設備に、ショートメッセージの一時的保存機能と、ショートメッセージの転送態様を規定する情報を保持する機能とを設け、ショートメッセージの送信が行われるに際して、当初予定の宛先が仮に着信不能の状態にあっても、ショートメッセージの転送態様を規定する情報に依拠して、それに替わる宛先にショートメッセージの転送を行う。ショートメッセージ転送装置が記載されている。
【０００４】
また、特許文献２には、無線電話に関連付けられたユーザ・プロファイルは、無線電話以外のデバイスを介してメッセージを受け取るための条件と、ユーザの基本設定とを含んでおり、条件には、インスタント・メッセージング・クライアントがアクティブであるかどうかが含まれる。即ち、この場合はクライアントのアドレスが含まれており、テキスト・メッセージが無線電話交換センタに着信した場合、そのメッセージが無線電話ネットワークを介すのか、インターネット・メッセージング・クライアントを介すのか、あるいはその両方を介して送信されるものであるかを判定し、判定に応じて、メッセージは無線ネットワークを介して送信、又はインスタント・メッセージング・メッセージとしてフォーマット化されて送信されるシステムが記載されている。
【０００５】
更に、特許文献３には、特定の電話番号又はアドレスに送信されたＳＭＳメッセージを所望の装置に提供して、送信者はＳＭＳメッセージをユーザの電話番号アドレスに送信し、ＳＭＳメッセージはユーザに選択された所望の装置にルーティングされ、前記所望の装置上で適当なフォーマットで表示されるメッセージ送信システムが記載されている。
【０００６】
このような従来の技術において、ＳＭＳ着信用の電話番号は、ＳＭＳの受信者が管理する装置（携帯電話、スマートフォン）が内蔵するＳＩＭカードで特定され、ＳＩＭカードを内蔵した受信装置（携帯電話、スマートフォン）を所有していることを前提とする。
【先行技術文献】
【特許文献】
【０００７】
【特許文献１】特開２０１０−００４１２５号公報
【特許文献２】特開２００５−１２４１５２号公報
【特許文献３】特開２０１４−２２０５９４号公報
【発明の概要】
【発明が解決しようとする課題】
【０００８】
しかし、ＳＭＳの受信装置を所有していない場合であっても、一時的あるいは継続的に自己宛てのＳＭＳを一つ又は複数の電話番号で受信できることが要望されることがある。
【０００９】
このような要望をかなえるためには、利用者がＳＭＳを受信できる携帯電話やスマートフォンを取得する必要がある。また、複数の電話番号でＳＭＳを受信可能とするためには、複数の電話番号を準備する必要がある。
【００１０】
また、ＳＭＳの受信は必ずしも長期にわたり必要としないオンラインサービスのＳＭＳによる認証や、一定期間に限った広告や会員募集等、一時的に必要とされることがあり、この場合には上述した携帯電話やスマートフォンを取得するとコストがかかる。
【００１１】
本発明は上述した課題に鑑みてなされたものであり、顧客がＳＭＳを受信可能なハードウエアの準備や、煩雑な電話番号取得手続きをすることなく、限定された期間の使用であったとしても、低価格で着信したＳＭＳを指定の受信装置に受信したＳＭＳの必要なデータを送信できるサーバー装置、ＳＭＳ受信システム、サーバー装置の制御方法、及びプログラムを提供することを目的とする。
【課題を解決するための手段】
【００１２】
前記課題を解決する請求項１に記載の発明は、不特定のＳＭＳ送信端末から顧客が指定した電話番号でＳＭＳを受信して、前記顧客が指定した受信端末装置のＵＲＬに前記受信したＳＭＳの情報を送信するサーバー装置であって、前記ＳＭＳを受信できる電話番号を特定する複数のＳＩＭカードが配置され、各ＳＩＭカードが特定する前記電話番号に着信して受信したＳＭＳの情報を出力するモデム部と、前記モデム部に配置されたＳＩＭカードの前記電話番号と前記電話番号に対応した前記顧客の前記受信端末装置のＵＲＬを格納したデータベースと、前記顧客の送信端末装置に対して、前記モデム部に配置されたＳＩＭカードから選択可能なＳＩＭカードの電話番号を提示し、これらの電話番号から前記顧客が指定した電話番号及び送信すべき前記受信端末装置の前記ＵＲＬを前記データベースに格納するＡＰＩ処理部と、前記モデム部がＳＭＳを受信した前記電話番号に基づいて前記データベースから前記受信端末装置のＵＲＬを取得して、前記モデム部に着信したＳＭＳの情報を前記取得した受信端末装置のＵＲＬに送信するＳＭＳ情報送信部と、を備えることを特徴とするサーバー装置である。
【００１３】
本発明によれば、モデム部にはそれぞれ異なる電話番号を特定する複数のＳＩＭカードが配置されており、ＡＰＩ処理部は顧客の送信端末装置に対してモデム部に配置されたＳＩＭカードから選択可能なＳＩＭカードの電話番号を提示し、これらの電話番号から前記顧客が指定した電話番号及び送信すべき前記端末装置のＵＲＬをデータベースに格納する。そして、不特定のＳＭＳ送信端末から顧客が指定した電話番号にＳＭＳが送信されると、モデム部は当該ＳＭＳの情報をＳＭＳ送信部に出力する。更に、ＳＭＳ情報送信部は、受信番号に基づいてデータベースから送信先のＵＲＬを取得して当該ＳＭＳの情報を送信先のＵＲＬに送信する。
【００１４】
よって、顧客はＳＭＳ受信用のＳＩＭカードを備えた端末装置を有することなく、顧客が指定した受信端末装置で予め設定した電話番号で受信したＳＭＳの情報を取得することができる。また、本発明によれば、恒久的ではなく一時的な利用も可能である。
【００１５】
同じく請求項２に記載の発明は、請求項１に記載のサーバー装置において、前記ＳＭＳ情報送信部は、受信したＳＭＳの情報として、発信元電話番号、受信電話番号、本文テキストデータ、及び受信時刻を送信することを特徴とする。
【００１６】
本発明によれば、ＳＭＳ情報送信部は、受信端末装置に、ＳＭＳの情報である発信元電話番号、受信電話番号、本文テキストデータ、及び受信時刻を送信し、顧客はこれら詳細なデータに基づいて様々な処理を行うことができる。
【００１７】
同じく請求項３の発明は、請求項１に記載のサーバー装置において、前記ＡＰＩ処理部は、前記顧客の送信端末装置からのＨＴＴＰ（Hypertext Transfer Protocol）によるＰＯＳＴメソッドによる指定で前記電話番号及び前記ＵＲＬを指定されることを特徴とする。
【００１８】
本発明によれば、送信端末装置をサーバー装置に接続して、サーバー装置のモデム部に配置された複数のＳＩＭカードの電話番号着信番号から所望の受信用の電話番号及び送信先のＵＲＬを選択することができる。このとき、送信端末装置はサーバー装置とＨＴＴＰによるＰＯＳＴメソッドでやり取りを行う。よって、電話会社との契約等の煩雑な手続きを経ることなく、顧客の送信端末装置からの簡単な処理で所望の電話番号を取得してＳＭＳの宛先電話番号として設定できる。
【００１９】
同じく請求項４に記載の発明は、サーバー装置と、顧客の送信端末装置及び受信端末装置と、を備え、不特定のＳＭＳ送信端末から前記顧客が送信端末で指定した電話番号で受信したＳＭＳの情報を前記顧客の前記受信端末装置のＵＲＬを送信するＳＭＳ受信システムであって、サーバー装置は、前記ＳＭＳを受信できる電話番号を特定する複数のＳＩＭカードが配置され、各ＳＩＭカードが特定する前記電話番号に着信して受信したＳＭＳの情報を出力するモデム部と、前記モデム部に配置されたＳＩＭカードの前記電話番号及び前記電話番号に対応した前記顧客の前記受信端末装置のＵＲＬを格納したデータベースと、前記顧客の送信端末に対して、前記モデム部に配置されたＳＩＭカードから選択可能なＳＩＭカードの電話番号を提示し、これらの電話番号から前記顧客が指定した電話番号及び送信すべき前記受信端末装置の前記ＵＲＬを前記データベースに格納するＡＰＩ処理部と、前記モデム部がＳＭＳを受信した前記電話番号に基づいて前記データベースから前記受信端末装置のＵＲＬを取得して、前記モデム部に着信したＳＭＳの情報を前記取得した受信端末装置のＵＲＬに送信するＳＭＳ情報送信部と、を備え、前記送信端末装置は、前記ＡＰＩ処理部に対してＨＴＴＰ（HyperTtext  Transfer  Protocol）によるＰＯＳＴメソッドにより前記電話番号と前記ＵＲＬを指定する、ことを特徴とするＳＭＳ受信システムである。
【００２０】
本発明によれば、モデム部にはそれぞれ異なる電話番号を特定する複数のＳＩＭカードが配置されており、ＡＰＩ処理部は顧客の送信端末装置に対してモデム部に配置されたＳＩＭカードから選択可能なＳＩＭカードの電話番号を提示し、これらの電話番号から顧客が指定した電話番号及び送信すべき前記端末装置のＵＲＬをデータベースに格納する。そして、不特定のＳＭＳ送信端末から顧客が指定した電話番号にＳＭＳが送信されると、モデム部は当該ＳＭＳの情報をＳＭＳ情報送信部に出力する。更に、ＳＭＳ情報送信部は、受信番号に基づいてデータベースから送信先のＵＲＬを取得して当該ＳＭＳの情報を送信先のＵＲＬに送信する。
【００２１】
また、送信端末装置をサーバー装置に接続して、サーバー装置のモデム部に配置された複数のＳＩＭカードの電話番号着信番号から所望の電話番号を選択することができる。このとき、送信端末装置はサーバー装置とＨＴＴＰによるＰＯＳＴメソッドでやり取りを行う。よって、電話会社との契約等の煩雑な手続きを経ることなく、顧客の送信端末装置からの簡単な処理で所望の電話番号を取得してＳＭＳの宛先電話番号と送信先のＵＲＬを設定できる。
【００２２】
同じく請求項５に記載の発明は、請求項４に記載のＳＭＳ受信システムにおいて、前記送信端末装置と前記受信端末装置とは１台の顧客端末装置で実現されることを特徴とする。
【００２３】
本発明によれば、送信端末装置と受信端末装置とを１台の顧客端末装置、例えばパーソナルコンピュータ等で実現できる。
【００２４】
同じく請求項６に記載の発明は、請求項４に記載のＳＭＳ受信システムにおいて、前記ＳＭＳ情報送信部は、受信したＳＭＳの情報として、発信元電話番号、受信電話番号、本文テキストデータ、及び着信時刻を送信することを特徴とする。
【００２５】
本発明によれば、ＳＭＳ情報送信部は、受信端末装置に、ＳＭＳの情報である発信元電話番号、受信電話番号、本文テキストデータ、及び受信時刻を送信し、顧客はこれら詳細なデータに基づいて様々な処理を行うことができる。
【００２６】
同じく請求項７に記載の発明は、請求項４に記載のＳＭＳ受信システムにおいて、前記サーバー装置は、パーソナルコンピュータであることを特徴とする。
【００２７】
本発明によれば、汎用のハードウエアを備えるパーソナルコンピュータにおいてプログラムを実行することでサーバー装置を実現でき、特殊な装置を必要としない。
【００２８】
同じく請求項８に記載の発明は、請求項４に記載のＳＭＳ受信システムにおいて、前記顧客の送信端末装置及び前記顧客の受信端末装置は、パーソナルコンピュータ、タブレット型コンピュータ、又はスマートフォンであることを特徴とする。
【００２９】
本発明によれば、汎用のハードウエアを備えるパーソナルコンピュータ等においてプログラムを実行することで顧客の送信端末装置及び受信装置を実現でき、特殊な装置を必要としない。
【００３０】
同じく請求項９に記載の発明は、ＳＭＳを受信できる複数のＳＩＭカードを配置したモデム部と、顧客が所望の電話番号と送信先である受信装置のＵＲＬを指定するＡＰＩ処理部と、ＳＩＭカードに受信した不特定のＳＭＳ送信端末からのＳＭＳについての情報を格納したデータベースと、前記顧客が指定した受信端末装置のＵＲＬに送信するＳＭＳ情報送信部と、を備えるサーバー装置の制御方法であって、前記ＡＰＩ処理部が前記顧客に前記モデム部に配置されたＳＩＭカードから選択可能なＳＩＭカードの電話番号を提示し、前記電話番号からが前記顧客が所望の電話番号及び送信すべき受信端末装置の前記ＵＲＬの指定を、ＨＴＴＰによるＰＯＳＴメソッドにより行うステップと、前記複数のＳＩＭカードの前記電話番号及び前記電話番号に対応した前記顧客の前記端末装置のＵＲＬをデータベースに格納するステップと、各ＳＩＭカードが特定する前記電話番号に着信して受信したＳＭＳの情報を出力するステップと、ＳＭＳ情報送信部が前記モデム部に着信したＳＭＳの情報を、前記ＳＭＳを受信した前記電話番号に基づいてデータベースを参照して取得した前記端末装置のＵＲＬに送信するステップと、を備えることを特徴とするサーバー装置の制御方法である。
【００３１】
本発明によれば、モデム部にはそれぞれ異なる電話番号を特定する複数のＳＩＭカードが配置されている。そして、顧客の送信端末と接続された状態で、サーバー訴追のＡＰＩ処理部は送信端末装置に前記モデム部に配置されたＳＩＭカードから選択可能なＳＩＭカードの電話番号を提示し、顧客はこれらの電話番号からが所望の電話番号及び送信すべき端末装置の前記ＵＲＬの指定を行う。この処理は、ＨＴＴＰによるＰＯＳＴメソッドにより行われる。更に、複数のＳＩＭカードの電話番号とこれら電話番号に対応した顧客の受信端末装置のＵＲＬ、及び顧客情報をデータベースに格納する。そして、ＳＩＭカードが特定する前記電話番号に着信して受信したＳＭＳの情報を出力し、ＳＭＳ情報送信部が前記モデム部に着信したＳＭＳの情報を、前記ＳＭＳを受信した前記電話番号に基づいてデータベースを参照して取得した前記端末装置のＵＲＬに送信する。
【００３２】
同じく請求項１０に記載の発明は、ＳＭＳを受信できる複数のＳＩＭカードを配置したモデム部と、顧客が所望の電話番号と送信先である受信装置のＵＲＬを指定するＡＰＩ処理部と、ＳＩＭカードに受信した不特定のＳＭＳ送信端末からのＳＭＳについての情報を格納したデータベースと、前記顧客が指定した受信端末装置のＵＲＬに送信するＳＭＳ情報送信部と、を備えるサーバー装置のコンピュータに、前記ＡＰＩ処理部が前記顧客に前記モデム部に配置されたＳＩＭカードから選択可能なＳＩＭカードの電話番号を提示し、前記電話番号からが前記顧客が所望の電話番号及び送信すべき受信端末装置の前記ＵＲＬの指定を、ＨＴＴＰによるＰＯＳＴメソッドにより行うステップと、前記複数のＳＩＭカードの前記電話番号及び前記電話番号に対応した前記顧客の前記端末装置のＵＲＬをデータベースに格納するステップと、各ＳＩＭカードが特定する前記電話番号に着信して受信したＳＭＳの情報を出力するステップと、ＳＭＳ情報送信部が前記モデム部に着信したＳＭＳの情報を、前記ＳＭＳを受信した前記電話番号に基づいてデータベースを参照して取得した前記端末装置のＵＲＬに送信するステップと、を実行させることを特徴とするプログラムである。
【００３３】
本発明によれば、サーバー装置のコンピュータは、プログラムを実行して、顧客の送信端末と接続された状態で、サーバー訴追のＡＰＩ処理部は送信端末装置に前記モデム部に配置されたＳＩＭカードから選択可能なＳＩＭカードの電話番号を提示し、顧客はこれらの電話番号からが所望の電話番号及び送信すべき端末装置の前記ＵＲＬの指定を行う。この処理は、ＨＴＴＰによるＰＯＳＴメソッドにより行われる。そして、複数のＳＩＭカードの電話番号とこれら電話番号に対応した顧客の受信端末装置のＵＲＬ、及び顧客情報をデータベースに格納する。そして、ＳＩＭカードが特定する前記電話番号に着信して受信したＳＭＳの情報を出力し、ＳＭＳ情報送信部が前記モデム部に着信したＳＭＳの情報を、前記ＳＭＳを受信した前記電話番号に基づいてデータベースを参照して取得した前記端末装置のＵＲＬに送信する。
【発明の効果】
【００３４】
本発明によれば、顧客がＳＭＳ受信用の特別なハードウエアの準備や煩雑な電話番号取得手続きをすることなく、限定された期間の使用であったとしても低価格で着信したＳＭＳを指定の受信装置に受信したＳＭＳの必要なデータを送信できる。このため、オンラインサービスのＳＭＳによる認証や、一定期間に限った広告や会員募集等、長期にわたる使用を前提としない一時的な利用に好適である。
【００３５】
即ち、請求項１に記載のサーバー装置によれば、モデム部にはそれぞれ異なる電話番号を特定する複数のＳＩＭカードが配置されており、ＡＰＩ処理部は顧客の送信端末装置に対してモデム部に配置されたＳＩＭカードから選択可能なＳＩＭカードの電話番号を提示し、これらの電話番号から前記顧客が指定した電話番号及び送信すべき前記端末装置のＵＲＬをデータベースに格納する。そして、不特定のＳＭＳ送信端末から顧客が指定した電話番号にＳＭＳが送信されると、モデム部は当該ＳＭＳの情報を出力する。更に、ＳＭＳ情報送信部は、受信番号に基づいてデータベースから送信先のＵＲＬを取得して当該ＳＭＳの情報を送信先のＵＲＬに送信する。
【００３６】
よって、顧客はＳＭＳ受信用のＳＩＭカードを備えた端末装置を有することなく、顧客が指定した受信端末装置で予め設定した電話番号で受信したＳＭＳの情報を取得することができる。また、本発明によれば、恒久的ではなく一時的な利用も可能である。即ち、本発明に係るサーバー装置は、オンラインサービスのＳＭＳによる認証や、一定期間に限った広告や会員募集等、長期にわたる使用を前提としない一時的な利用に好適である。
【００３７】
また、請求項２に記載のサーバー装置によれば、ＳＭＳ情報送信部は、受信端末装置に、ＳＭＳの情報である発信元電話番号、受信電話番号、本文テキストデータ、及び受信時刻を送信し、顧客はこれら詳細なデータに基づいて様々な処理を行うことができる。このため、送信電話番号で相手電話番号が使用状態であることが確認でき、本文テキストデータを解析することで各種の情報を取得でき、様々な用途に有効である。
【００３８】
また、請求項３に記載のサーバー装置によれば、送信端末装置をサーバー装置に接続して、サーバー装置のモデム部に配置された複数のＳＩＭカードの電話番号着信番号から所望の電話番号を選択することができる。このとき、送信端末装置はサーバー装置とＨＴＴＰによるＰＯＳＴメソッドでやり取りを行う。よって、電話会社との契約等の煩雑な手続きを経ることなく、顧客の送信端末装置からの簡単な処理で所望の電話番号を取得してＳＭＳの宛先電話番号として設定できる。また、着信番号に顧客の着信端末装置のＵＲＬを対応させるに際して、顧客の送信端末からＡＰＩ処理部にＨＴＴＰによるＰＯＳＴメソッドにより記述、変更できる。したがって、ＨＴＴＰによるテキスト以外の例えばＳＭＴＰを用いた場合と異なり、インタフェース構築の制約が少なくなる。
【００３９】
また、請求項４に記載のＳＭＳ受信システムによれば、モデム部にはそれぞれ異なる電話番号を特定する複数のＳＩＭカードが配置されており、ＡＰＩ処理部は顧客の送信端末装置に対してモデム部に配置されたＳＩＭカードから選択可能なＳＩＭカードの電話番号を提示し、これらの電話番号から前記顧客が指定した電話番号及び送信すべき前記端末装置のＵＲＬをデータベースに格納する。そして、不特定のＳＭＳ送信端末から顧客が指定した電話番号にＳＭＳが送信されると、モデム部は当該ＳＭＳの情報を出力する。更に、ＳＭＳ情報送信部は、受信番号に基づいてデータベースから送信先のＵＲＬを取得して当該ＳＭＳの情報を送信先のＵＲＬに送信する。
【００４０】
また、送信端末装置をサーバー装置に接続して、サーバー装置のモデム部に配置された複数のＳＩＭカードの電話番号着信番号から所望の電話番号を選択することができる。このとき、送信端末装置はサーバー装置とＨＴＴＰによるＰＯＳＴメソッドでやり取りを行う。よって、電話会社との契約等の煩雑な手続きを経ることなく、顧客の送信端末装置からの簡単な処理で所望の電話番号を取得してＳＭＳの宛先電話番号として設定できる。
【００４１】
更に、着信番号に顧客の着信端末装置のＵＲＬを対応させるに際して、顧客の送信端末からＡＰＩ処理部にＨＴＴＰによるＰＯＳＴメソッドにより記述、変更できる。したがって、ＨＴＴＰによるテキスト以外の例えばＳＭＴＰを用いた場合と異なり、インタフェース構築の制約が少なくなる。
【００４２】
また、請求項５に記載のＳＭＳ受信システムによれば、送信端末装置と受信端末装置とを１台の顧客端末装置、例えばパーソナルコンピュータ等で実現できる。このため、特別な機器を使用することなくＳＭＳ受信システムを実現できる。
【００４３】
また、請求項６に記載のＳＭＳ受信システムによれば、ＳＭＳ情報送信部は、受信端末装置に、ＳＭＳの情報である発信元電話番号、受信電話番号、本文テキストデータ、及び受信時刻を送信し、顧客はこれら詳細なデータに基づいて様々な処理を行うことができる。
【００４４】
また、請求項７に記載のＳＭＳ受信システムによれば、汎用のハードウエアを備えるパーソナルコンピュータにおいてプログラムを実行することでサーバー装置を実現でき、特殊な装置を必要としない。
【００４５】
また、請求項８にＳＭＳ受信システムによれば、汎用のハードウエアを備えるパーソナルコンピュータ等においてプログラムを実行することで顧客の送信端末装置及び受信装置を実現でき、特殊な装置を必要としない。
【００４６】
また、請求項９に係るサーバー装置の制御方法によれば、モデム部にはそれぞれ異なる電話番号を特定する複数のＳＩＭカードが配置されている。そして、顧客の送信端末と接続された状態で、サーバー訴追のＡＰＩ処理部は送信端末装置に前記モデム部に配置されたＳＩＭカードから選択可能なＳＩＭカードの電話番号を提示し、顧客はこれらの電話番号からが所望の電話番号及び送信すべき端末装置の前記ＵＲＬの指定を行う。この処理は、ＨＴＴＰによるＰＯＳＴメソッドにより行われる。更に、複数のＳＩＭカードの電話番号とこれら電話番号に対応した顧客の受信端末装置のＵＲＬ、及び顧客情報をデータベースに格納する。そして、ＳＩＭカードが特定する前記電話番号に着信して受信したＳＭＳの情報を出力し、ＳＭＳ情報送信部が前記モデム部に着信したＳＭＳの情報を、前記ＳＭＳを受信した前記電話番号に基づいてデータベースを参照して取得した前記端末装置のＵＲＬに送信する。
【００４７】
よって、顧客はＳＭＳ受信用のＳＩＭカードを備えた端末装置を有することなく、顧客が指定した受信端末装置で予め設定した電話番号で受信したＳＭＳの情報を取得することができる。また、本発明によれば、恒久的ではなく一時的な利用も可能である。即ち、本発明に係るサーバー装置は、オンラインサービスのＳＭＳによる認証や、一定期間に限った広告や会員募集等、長期にわたる使用を前提としない一時的な利用に好適である。
【００４８】
更に、ＳＭＳ情報送信部は、受信端末装置に、ＳＭＳの情報である発信元電話番号、受信電話番号、本文テキストデータ、及び受信時刻を送信し、顧客はこれら詳細なデータに基づいて様々な処理を行うことができる。
【００４９】
そして、請求項１０に記載のプログラムによれば、サーバー装置のコンピュータは、プログラムを実行して、顧客の送信端末と接続された状態で、サーバー訴追のＡＰＩ処理部は送信端末装置に前記モデム部に配置されたＳＩＭカードから選択可能なＳＩＭカードの電話番号を提示し、顧客はこれらの電話番号からが所望の電話番号及び送信すべき端末装置の前記ＵＲＬの指定を行う。この処理は、ＨＴＴＰによるＰＯＳＴメソッドにより行われる。そして、複数のＳＩＭカードの電話番号とこれら電話番号に対応した顧客の受信端末装置のＵＲＬ、及び顧客情報をデータベースに格納する。そして、ＳＩＭカードが特定する前記電話番号に着信して受信したＳＭＳの情報を出力し、ＳＭＳ情報送信部が前記モデム部に着信したＳＭＳの情報を、前記ＳＭＳを受信した前記電話番号に基づいてデータベースを参照して取得した前記端末装置のＵＲＬに送信する。
【００５０】
よって、顧客はＳＭＳ受信用のＳＩＭカードを備えた端末装置を有することなく、顧客が指定した受信端末装置で予め設定した電話番号で受信したＳＭＳの情報を取得することができる。また、本発明によれば、恒久的ではなく一時的な利用も可能である。即ち、本発明に係るサーバー装置は、オンラインサービスのＳＭＳによる認証や、一定期間に限った広告や会員募集等、長期にわたる使用を前提としない一時的な利用に好適である。
【００５１】
更に、ＳＭＳ情報送信部は、受信端末装置に、ＳＭＳの情報である発信元電話番号、受信電話番号、本文テキストデータ、及び受信時刻を送信し、顧客はこれら詳細なデータに基づいて様々な処理を行うことができる。
【図面の簡単な説明】
【００５２】
【図１】本発明の実施形態に係るＳＭＳ受信システムの全体構成を示すブロック図である。
【図２】同ＳＭＳ受信システムの各部を示すものであり、（ａ）はモデム部を示すブロック図、（ｂ）はＡＰＩ処理部を示すブロック図である。
【図３】同ＳＭＳ受信システムの動作を示すものであり、（ａ）はＳＭＳ受信用の電話番号と送信先ＵＲＬの設定動作を示すフローチャート、（ｂ）はＳＭＳ受信動作を示すフローチャート、（ｃ）はＳＭＳ情報の発信動作を示すフローチャートである。
【図４】同ＳＭＳ受信システムの動作全体を示すフローチャートである。
【発明を実施するための形態】
【００５３】
本発明を実施するための形態に係るサーバー装置、ＳＭＳ受信システム、サーバー装置の制御方法、及びプログラムについて説明する。
【００５４】
以下、本発明の実施形態に係るＳＭＳ受信システムを図面に基づいて説明する。図１は本発明の実施形態に係るＳＭＳ受信システムの全体構成を示すブロック図、図２は同ＳＭＳ受信システムの各部を示すものであり、（ａ）はモデム部を示すブロック図、（ｂ）はＡＰＩ処理部を示すブロック図である。
【００５５】
本発明の実施形態に係るＳＭＳ受信システム１０は、サーバー装置１００と、複数のＳＭＳ送信端末３０−１、３０−２、３０−３、…、３０−ｎと、複数の顧客が使用する顧客端末装置５０−１、５０−２、…、５０−Ｍとを備える。各ＳＭＳ送信端末３０−１、３０−２、３０−３、…、３０−ｎとサーバー装置１００とは電話回線２０で接続されている。また、各顧客端末装置５０−１、５０−２、…、５０−Ｍとサーバー装置１００とはインターネット４０で接続されている。
【００５６】
なお、複数のＳＭＳ送信端末３０−１、３０−２、３０−３、…、３０−ｎを個別に区別しないときは単にＳＭＳ送信端末３０といい、複数の顧客端末装置５０−１、５０−２、…、５０−Ｍを個別に区別せずに説明するとき単に顧客端末装置５０という。
【００５７】
ＳＭＳ送信端末３０は、ＳＭＳを送信できる端末装置であれば足り、スマートフォンや従来の携帯電話（フィーチャーフォン）が使用される。
【００５８】
ＳＭＳ（ショートメッセージサービス：Short  Message  Service）は、電話番号を宛先として文字メッセージを送受信できるサービスであり、スマートフォンやフィーチャーフォンに特別のアプリケーションをインストールすることなく、手軽に使用できる。電話番号を宛先とするため、電話番号を有しない端末装置、例えばＳＩＭカードを備えないパーソナルコンピュータ等では送受信できない。
【００５９】
顧客端末装置５０は、処理部としてＣＰＵ（Central  Processing  Unit）、主記憶装置としてＲＯＭ（Read  Only  Memory）、ＲＡＭ（Random  Access  Memory）、補助記憶装置としてハードディスクドライブ（ＨＤＤ：Hard  Disc  Drive）等を備えたパーソナルコンピュータやタブレット型コンピュータで実現される。本実施形態では、顧客端末装置５０は、キーボードやマウス等の入力手段と液晶ディスプレイ等の出力手段とを備える。また、顧客端末装置５０は、送信端末装置５１と受信端末装置５２とを１台の顧客端末装置５０で実現している。なお、送信端末装置５１と受信端末装置５２とを異なる別装置として構成することができる。
【００６０】
送信端末装置５１は、顧客端末装置５０のウェブブラウザソフトウェアを処理することで実現できる。送信端末装置５１はサーバー装置１００のＡＰＩ処理部１３０からサーバー装置１００のモデム部に配置されたＳＩＭカードから選択可能なＳＩＭカードの電話番号が提示され、これらの電話番号から所望の電話番号と送信すべき受信端末装置５２の前記ＵＲＬを入力する。送信端末装置５１は、ＡＰＩ処理部１３０の内容をＨＴＴＰによるＰＯＳＴメソッドにより受信用の電話番号と送信先である受信端末装置５２のＵＲＬを指定できる。
【００６１】
受信端末装置５２は、顧客端末装置５０で受信アプリケーションソフトウェアを実行することで実現でき、後述するサーバー装置１００のＳＭＳ情報送信部１４０からＳＭＳ情報として、発信元電話番号、受信電話番号、本文テキストデータ、及び受信時刻を受信する。顧客はこの受信した各項目のデータを様々な用途に使用することができる。例えば、ウェブサービスの認証、アンケートの集計、一定期間に限った広告や会員募集等に利用できる。
【００６２】
サーバー装置１００は、処理部としてＣＰＵ（Central  Processing  Unit）、主記憶装置としてＲＯＭ（Read  Only  Memory）、ＲＡＭ（Random  Access  Memory）、補助記憶装置としてハードディスクドライブ（ＨＤＤ：Hard  Disc  Drive）等を備えたパーソナルコンピュータで実現される。
【００６３】
サーバー装置１００は、図１に示すように、モデム部１１０と、データベース１２０と、ＡＰＩ処理部１３０と、ＳＭＳ情報送信部１４０と、通信制御部１５０とを備える。
【００６４】
モデム部１１０は、図２（ａ）に示すように、複数のＳＩＭカードスロット１１１-１、１１１-２…、１１１−Ｐと接続管理データ送信部１１２とを備える。ＳＩＭカードスロット１１１-１、１１１-２…、１１１−Ｐには、それぞれ異なる電話番号を特定するＳＩＭカード６０-１、６０-２…、６０−Ｐが配置されている。各ＳＩＭカード６０-１、６０-２…、６０−Ｐには、電話番号として例えば「aaa-bbbb-ccc1」、「aaa-bbbb-ccc２」、…、「aaa-bbbb-cccＰ」を特定する。
【００６５】
また、接続管理データ送信部１１２は、各ＳＩＭカード６０-１、６０-２…、６０−Ｐの着信処理、切断処理等の接続管理と、着信したＳＭＳの情報として発信電話番号、本文テキスト情報、受信したＳＩＭカードの電話番号（受信電話番号）、及び着信時刻をＳＭＳ情報送信部１４０に送信する。
【００６６】
データベース１２０は、顧客に提供可能なＳＩＭカードの電話番号と、後述するＡＰＩ処理部１３０からの指示により、使用状態であるＳＩＭカード６０の電話番号と、この電話番号に関係付けられた顧客端末装置５０のＵＲＬ（Uniform  Resource  Locator）を格納している。
【００６７】
また、データベース１２０は、後述するＳＭＳ情報送信部１４０からの着信電話番号の指定により、当該受信電話番号に関係付けられたＵＲＬを出力する。
【００６８】
ＡＰＩ処理部１３０は、顧客端末装置５０の送信端末装置５１とやり取りし、使用可能なＳＩＭカードの電話番号を送信端末装置５１に提示し、送信端末装置５１に入力された顧客が希望するＳＭＳ受信用の電話番号と、この電話番号に関係付ける顧客端末装置５０の送信端末装置５１のＵＲＬとを受け付け、データベース１２０に格納する。
【００６９】
本実施形態では、受信端末装置５２はＨＴＴＰのＰＯＳＴメソッドにより、サーバー装置１００に接続してＡＰＩ処理部１３０に入力ができる。送信端末装置５１はインターネット閲覧ウェブブラウザソフトウェア上において、所望の電話番号、転送先のＵＲＬを指定するに際してテキストを編集する。また、指定していた電話番号を解除することも同様にできる。このように電話番号やＵＲＬの指定や解除は、ＨＴＴＰによるＰＯＳＴメソッドにより簡単に行うことができる。
【００７０】
例えば「aaa-bbbb-ccc2」に着信したＳＭＳの情報を自己の受信端末装置５２のＵＲＬ、手例えば「http://www.abc.defg.co.jp/hijk/等」に転送するよう指定する。顧客は使用する電話番号ごとに設定を行うことができる。この指定はサーバー装置１００のＡＰＩ処理部１３０が取得し、サーバー装置１００では、データベース１２０に着信した電話番号ごとにＳＭＳ情報の転送先を設定することができる。
【００７１】
ＡＰＩ処理部１３０は、契約処理部１３１と、電話番号設定部１３２と、ＵＲＬ設定部１３３と、ＳＭＳ情報送信部１３４とを備える。
【００７２】
契約処理部１３１は、顧客との間でＳＭＳ転送の契約処理を行う。電話番号設定部１３２は、モデム部１１０に設置された複数のＳＩＭカード６０が特定する電話番号を送信端末装置５１に提示して顧客に選択させる。ＵＲＬ設定部１３３は、顧客が選択した電話番号に対応する顧客の受信端末装置５２のＵＲＬを顧客から受け付け、電話番号に関係付ける。ＳＭＳ情報送信部１３４は、受信したＳＭＳ情報をＳＭＳ情報送信部１４０に送出する。
【００７３】
ＳＭＳ情報送信部１４０は、モデム部１１０から新規ＳＭＳ情報を受信したとき、このＳＭＳ情報の受信電話番号に基づいてデータベース１２０からＳＭＳ情報を送信先である受信端末装置５２のＵＲＬを取得する。そして、ＳＭＳ情報送信部１４０は、当該ＵＲＬにＳＭＳ情報として、発信元電話番号、受信電話番号、本文テキストデータ、及び受信時刻を送信する。
【００７４】
次に本実施形態に係るＳＭＳ受信システム１０の処理及び動作について説明する。まず、個別の処理について説明する。図３は同ＳＭＳ受信システムの動作を示すものであり、（ａ）はＳＭＳ受信用の電話番号と送信先ＵＲＬの設定動作を示すフローチャート、（ｂ）はＳＭＳ受信動作を示すフローチャート、（ｃ）はＳＭＳ情報の発信動作を示すフローチャートである。
【００７５】
まず、顧客によるＳＭＳ受信用の電話番号と送信先ＵＲＬの設定動作について説明する。送信端末装置５１から接続され、指示があるとＡＰＩ処理部１３０は、図３（ａ）に示すように、顧客の送信端末装置５１からサーバー装置１００に接続されると（ステップＳ１１）、顧客は送信端末装置５１からサーバー装置１００のＡＰＩ処理部１３０にアクセスする（ステップＳ１２）。ＡＰＩ処理部１３０は、電話番号設定部１３２が送信端末装置５１に、データベース１２０に格納されている使用可能なＳＩＭカード６０の電話番号を使用可能な候補として取得して、送信端末装置５１に送出する（ステップＳ１３）。
【００７６】
次いで顧客は送信端末装置５１に表示された電話番号の候補から使用したい電話番号を選択して、電話番号設定部１３２に送出する（ステップＳ１４）。そして、顧客は、この電話番号に紐付ける受信端末装置５２のＵＲＬをＵＲＬ設定部１１３に送出する（ステップＳ１５）。そして、ＳＭＳ情報送信部１３４は指定された電話番号と指定されたＵＲＬを関係付けてデータベース１２０に格納する。
【００７７】
次いで、ＳＭＳの受信について説明する。不特定のＳＭＳ送信端末３０からモデム部１１０に格納されたＳＩＭカード６０の一つ特定する電話番号に発信すると（ステップＳ２１）、モデム部１１０の接続管理データ送信部１１２は、この着信を接続し（ステップＳ２２）、ＳＭＳを受信する（ステップＳ２３）。そして、接続管理データ送信部１１２は、受信したＳＭＳの情報として、着信番号、発信番号着信時刻、本文テキストをＳＭＳ情報送信部１４０に送信する（ステップＳ２４）。これにより、ＳＭＳ情報送信部１４０に着信したＳＭＳの情報が送出されたことになる。
【００７８】
そして、ＳＭＳ情報送信部１４０は、ＳＭＳの情報を受信端末装置５２に送信する。図３（ｃ）に示すように、サーバー装置１００のＳＭＳ情報送信部１４０は、受信したＳＭＳ情報の着信電話番号に基づいてデータベースからＳＭＳ情報の送信先である受信端末装置５２のＵＲＬを取得する（ステップＳ３１）。そして、通信制御部１５０はサーバー装置１００と顧客端末装置５０の受信端末装置５２とをインターネット４０経由で接続し（ステップＳ３２）する。更に、ＳＭＳ情報送信部１４０は、受信したＳＭＳの着信番号、発信番号、着信時刻、及び本文テキストを顧客端末装置５０の受信端末装置５２に送信する（ステップＳ３３）。これにより、顧客は自己がした電話番号宛てに受信したＳＭＳの情報を、ＳＭＳ受信端末を所有することなく取得することができる。
【００７９】
次にＳＭＳ受信システム１０における全体処理を詳細に説明する。図４は同ＳＭＳ受信システムの動作全体を示すフローチャートである。
【００８０】
まず、顧客がＳＭＳ受信のための電話番号を取得してＳＭＳ情報の送信先である受信端末装置５２のＵＲＬを登録する処理について説明する。顧客８０は、図４に示すように、送信端末装置５１からサーバー装置１００に接続しＡＰＩ処理部１３０にアクセスする（ＳＡ１、ＳＣ１）。ＡＰＩ処理部１３０は、モデム部１１０に配置しており、現在使用できる、即ち未使用のＳＩＭカード６０の電話番号（複数あれば複数）を電話番号候補として送信端末装置５１に送出する（ステップＳＣ２）。送信端末装置５１では電話番号候補を表示して、顧客はこの中から所望の電話番号を選択して指定する（ステップＳＡ２）。顧客は更に指定した電話番号に受信したＳＭＳの情報を送信してもらう受信端末装置５２のＵＲＬを指定する（ステップＳＡ３）。
【００８１】
ＡＰＩ処理部１３０は、送信端末装置５１から電話番号をＵＲＬとともに取得し、これらを関係付けてデータベース１２０に格納する（ステップＳＣ３、ＳＥ１）。このとき、顧客名も取得して電話番号、ＵＲＬとともにデータベース１２０に格納する。これにより、ＳＭＳの受信とＳＭＳ情報の転送ができる状態となる。
【００８２】
この状態で、ＳＭＳ送信端末３０から、モデム部１１０に格納されたＳＩＭカードの一つにＳＭＳが送信される（ステップＳＧ１）。すると、モデム部１１０の接続管理データ送信部１１２は、ＳＭＳを受信し（ステップＳＦ１）、受信したＳＭＳの受信電話番号、発信電話番号、時刻、本文テキストを取得し（ステップＳＦ２）、これらの情報をＳＭＳ情報送信部１４０に送信する（ステップＳＦ３、ＳＤ１）。
【００８３】
ＳＭＳ情報送信部１４０は、データベース１２０に受け取ったＳＭＳ情報の受信電話番号をデータベース１２０に照会し（ステップＳＤ２）、データベース１２０はＳＭＳの情報としてＳＭＳの送信先である受信端末装置５２のＵＲＬをＳＭＳ情報送信部１４０に送信する（ステップＳＥ３）。
【００８４】
そして、ＳＭＳ情報送信部１４０は、取得したＵＲＬにＳＭＳ情報として発信番号、受信番号、受信時刻、本文テキストを送信する（ステップＳＤ３）。これにより、顧客は、ＳＭＳ受信端末を準備することなく自己が指定した電話番号宛てのＳＭＳの情報、即ち受信したＳＭＳの発信番号、受信番号、受信時刻、本文テキストを受領できる。
【００８５】
なお、上記実施形態では、新規に受信されたＳＭＳは自動的にＳＭＳ情報送信部１４０から受信端末装置５２に送信される。しかし、本発明に係るＳＭＳ受信システムとしては、受信したＳＭＳ情報をデータベース１２０に格納しておき、受信端末装置５２からの指示でＳＭＳ情報送信部１４０にＳＭＳの受信状態を確認し、ＳＭＳの受信があったとき、ＳＭＳ情報送信部１４０がデータベース１２０に格納したＳＭＳの情報を受信端末装置５２に発信するようにしてもよい。
【００８６】
以上のように、本実施形態に係るＳＭＳ受信システム１００によれば、顧客がＳＭＳ受信用の特別なハードウエアを準備したり、新たに電話番号を取得したりする等の煩雑な手続きを必要とせず、電話番号ごとに着信したＳＭＳの情報を受け取ることができる。このＳＭＳの取得は一時的であっても長期的であってもよく、本システムを一時的に使用してインターネットにおける各種サービスのＳＭＳによる認証を行ったり、アンケートの回答の取得や一定期間に限った広告や会員募集等を行ったりすることができる。
【産業上の利用可能性】
【００８７】
本発明は、顧客が特別なハードウエア、ソフトウェアの準備や煩雑な電話番号取得手続きをすることなく、限定された期間の使用であったとしても低価格で着信したＳＭＳを指定の受信装置に受信したＳＭＳの必要なデータを送信できるものであり、産業上の利用可能性がある。
【符号の説明】
【００８８】
１０：ＳＭＳ受信システム
２０：電話回線
３０：ＳＭＳ送信端末
３０−１〜３０−Ｎ  ：ＳＭＳ送信端末
４０：インターネット
５０：顧客端末装置
５０−１〜５０-Ｍ：顧客端末装置
５１：送信端末装置
５２：受信端末装置
６０：ＳＩＭカード
６０-１〜６０-Ｐ：ＳＩＭカード
８０：顧客
１００：サーバー装置
１１０：モデム部
１１１-１、１１１-２…、１１１−Ｐ：ＳＩＭカードスロット
１１２：接続管理データ送信部
１１３：ＵＲＬ設定部
１２０：データベース
１３０：ＡＰＩ処理部
１３１：契約処理部
１３２：電話番号設定部
１３３：ＵＲＬ設定部
１３４：ＳＭＳ情報送信部
１４０：ＳＭＳ情報送信部
１５０：通信制御部
【要約】
【課題】顧客がＳＭＳ受信用のハードウエアの準備や煩雑な電話番号取得手続きをすることなく、着信したＳＭＳを指定の受信装置に受信したＳＭＳの必要なデータを取得できるものとする。
【解決手段】サーバー装置はＳＭＳ送信端末からＳＭＳを受信して、指定された受信端末装置のＵＲＬに当該ＳＭＳの情報を送信する。サーバー装置はＳＭＳを受信できる複数のＳＩＭカードが配置され、ＳＭＳの情報を出力するモデム部と、ＩＭカードの電話番号とこれ対応した受信端末装置のＵＲＬを格納したデータベースと、送信端末装置に対して選択可能なＳＩＭカードの電話番号を提示し、顧客が指定した電話番号及び受信端末装置のＵＲＬをデータベースに格納するＡＰＩ処理部と、ＳＭＳを受信した電話番号によりデータベースから送信先受信端末装置のＵＲＬを取得して受信したＳＭＳの情報を受信端末装置のＵＲＬに送信するＳＭＳ情報送信部とを備える。
【選択図】図２【図１】
0006751976.tif 000002
【図２】
0006751976.tif 000003
【図３】
0006751976.tif 000004
【図４】
0006751976.tif 000005